(57)【特許請求の範囲】
【請求項１】
原稿情報を光学的に読み取る読取センサにおけるコンタクトガラス上に原稿を押圧し、かつ読取時の白基準となる白色ローラを回転可能に設け、この白色ローラの外周における前記読取センサの主走査方向に弾性部材を延在し、この弾性部材により前記コンタクトガラス表面の清掃を行う読取装置において、前記白色ローラの外周面から突出するように前記弾性部材を設け、この弾性部材の突出部分が、前記コンタクトガラスに接触しているときに、前記白色ローラの外周面と同一面にまで変形することを特徴とする読取装置。
【請求項２】
前記弾性部材を白色ローラに着脱可能に設けたことを特徴とする請求項１記載の読取装置。
【請求項３】
前記コンタクトガラスに近接した原稿搬送路に、前記弾性部材により除去された塵埃などを収納する凹部を設けたことを特徴とする請求項１記載の読取装置。
【請求項４】
前記弾性部材に接触して、前記弾性部材に付着した塵埃などを除去あるいは吸収する接触部材を備えたことを特徴とする請求項１，２または３記載の読取装置。
【請求項５】
前記接触部材により前記白色ローラが前記コンタクトガラスに押圧される構成であることを特徴とする請求項４記載の読取装置。
【発明の詳細な説明】
【０００１】
【発明の属する技術分野】
本発明は、ファクシミリ装置あるいはスキャナ装置に適用され、原稿情報を光学的に読み取る読取センサと、読取センサの読取位置に原稿を押圧し、かつ読取時の白基準となる白色ローラを具備した読取装置に関するものである。
【０００２】
【従来の技術】
図９は原稿読取装置の構成図であり、１，１は原稿を搬送する搬送ローラ、２は、搬送ローラ１，１間に設置されて、内蔵されている原稿照明手段３と受光素子４などにより、原稿情報を光学的に読み取る読取センサ、５は、読取センサ２における読取位置に設けられたコンタクトガラス６の上方に設置され、原稿をコンタクトガラス６に押圧し、かつ読取時に読取センサ２が白基準情報を読み取るための白基準となる白色ローラである。
【０００３】
前記構成の原稿読取装置では、搬送ローラ１，１によって読取センサ２へ搬送されてきた原稿は、コンタクトガラス６上に白色ローラ５により押圧され、この押圧状態にて搬送されながらコンタクトガラス６下面から、読取センサ２によって光学的に原稿情報が読み取られる。
【０００４】
【発明が解決しようとする課題】
前記従来の原稿読取装置の構成において、原稿読取時、原稿がコンタクトガラス６に押圧されながら搬送されるため、コンタクトガラス６表面上に紙粉をはじめとする塵埃などが付着しやすく、その塵埃などが原因して読取情報にノイズが入り、読取情報に基づいて再生された画像に黒スジが発生するなど、画像品質を低下させてしまうという問題があった。
【０００５】
本発明は、前記従来の問題を解決し、原稿読取位置のコンタクトガラスに対するクリーニングを簡単な構成によって可能にした読取装置を提供することを目的とする。
【０００６】
【課題を解決するための手段】
前記目的を達成するため、本発明は、原稿情報を光学的に読み取る読取センサにおけるコンタクトガラス上に原稿を押圧し、かつ読取時の白基準となる白色ローラを回転可能に設け、この白色ローラの外周における前記読取センサの主走査方向に弾性部材を延在し、この弾性部材により前記コンタクトガラス表面の清掃を行う読取装置において、前記白色ローラの外周面から突出するように前記弾性部材を設け、この弾性部材の突出部分が、前記コンタクトガラスに接触しているときに、前記白色ローラの外周面と同一面にまで変形するように構成したものであり、この構成によって、コンタクトガラス表面上の塵埃などを、白色ローラの回転によって弾性部材によりコンタクトガラス表面上から除去することができ、しかも白色ローラの回転が円滑に行われて、コンタクトガラスの清掃が確実に行われる。
【０００８】
また本発明は、前記弾性部材を白色ローラに着脱可能に設けたものであり、この構成によって、除去した塵埃などによって汚れた弾性部材を容易に交換することができる。
【０００９】
また本発明は、前記コンタクトガラスに近接した原稿搬送路に、前記弾性部材により除去された塵埃などを収納する凹部を設けたものであり、この構成によって、除去された塵埃などの散逸を防ぐことができ、さらに除去された塵埃などの回収が可能になる。
【００１０】
また本発明は、前記弾性部材に接触して、前記弾性部材に付着した塵埃などを除去あるいは吸収する接触部材を備えたものであり、この構成によって、弾性部材のリフレッシュを行うことができ、弾性部材の使用寿命が長くなる。
【００１１】
また本発明は、前記接触部材により前記白色ローラが前記コンタクトガラスに押圧されるものであり、この構成によって、接触部材が、弾性部材のクリーナと白色ローラの押圧部材とを兼ねるため部品点数を削減することができる。
【００１２】
【発明の実施の形態】
以下、本発明の好適な実施形態について図面を参照しながら説明する。なお、以下の説明において、図９にて説明した部材に対応する部材には同一符号を付して詳しい説明は省略する。
【００１３】
図１は本発明の第１実施形態を説明するための原稿読取装置の構成図、図２は第１実施形態における白色ローラの斜視図であり、本実施形態の特徴は、白色ローラ１０の外周における読取センサ２の主走査方向に、かつ読取センサ２の読取範囲幅以上の長さに弾性部材（例えばフェルト材，発泡材あるいは布など）１１を延在させ、この弾性部材１１の端部を白色ローラ１０の外周面より突出させた構成にある。
【００１４】
前記構成により、白色ローラ１０を回転させることによって、コンタクトガラス６の表面に付着した塵埃Ｇなどを、弾性部材１１により払い落としたり、また擦り落としたり、あるいは付着，吸着させたりすることによって、除去することができる。このため、従来、コンタクトガラス６上の塵埃などが原因して発生していた読取情報におけるノイズが少なくなり、読取情報に基づく再生画像の品質を向上させることができる。
【００１５】
ところで、弾性部材１１は白色ローラ１０の外周面から突出しており、このように突出したままであると白色ローラ１０の回転に際して、弾性部材１１がコンタクトガラス６に接したときに密着せずに、塵埃などを良好に擦り落すことができなかったり、また弾性部材１１がコンタクトガラス６に接したときと離れる際に、白色ローラ１０に上下動を発生させて、異常音を発生させたり、動作を不安定にさせる等の問題が発生するおそれがある。
【００１６】
このため、弾性部材１１の材料としては、図３に示すように、コンタクトガラス６に接触した状態において、白色ローラ１０の外周面と同一面になり、白色ローラ１０に対して上昇力を生じさせないように圧縮する材質，特性のものを採用する。
【００１７】
さらに、弾性部材１１は塵埃などの除去を繰り返すことにより、弾性部材１１自体が汚れていく。このように汚れた場合には弾性部材１１を含めた白色ローラ１０全体を交換してもよいが、白色ローラ１０が使用寿命に達していない場合もあり、図４，図５に示すように、弾性部材１１を白色ローラ１０に対して着脱可能に設け、弾性部材１１のみを交換することによって、コンタクトガラス６に対する清掃効果を維持することができる。
【００１８】
図４に示す例では、弾性部材１１の一部に接着剤Ｓを塗布し、白色ローラ１０に形成した凹部１０ａ底面に接着剤Ｓ側を押し付けるようにして取り付け、また弾性部材１１の一部を持って引き剥がすことによって、取り外すことができる。
【００１９】
図５に示す例では、白色ローラ１０に奥側が幅広であり、かつ外側が幅狭になっている側面視台形状の凹部１０ｂを形成し、弾性部材１１の外形を凹部１０ｂより大きい側面視台形状にして、この弾性部材１１を圧縮した状態で凹部１０ｂに嵌め込むようにして取り付ける。また弾性部材１１を外側に引っ張ることによって取り外すことができる。
【００２０】
図６は本発明の第２実施形態を説明するための原稿読取装置の要部を示す構成図であり、この第２実施形態では、読取センサ２における原稿搬送方向下流側の原稿搬送ガイド板１５の下側に凹溝あるいは凹状箱などからなる塵埃収納凹部１６を設置しており、弾性部材１１によって除去された塵埃Ｇなどを塵埃収納凹部１６に落とし込むようにして、白色ローラ１０の回転に伴う弾性部材１１の除去動作時に、塵埃などが原稿搬送ガイド板１５の搬送面などに散逸してしまうことを防ぎ、またその塵埃などの回収ができるようにしている。
【００２１】
図７は本発明の第３実施形態を説明するための原稿読取装置の要部を示す構成図であり、この第３実施形態では、白色ローラ１０上方の原稿搬送ガイド板１８に、白色ローラ１０の外周面より突出した弾性部材１１の端部と接触して塵埃などを吸着する接触部材１９を突設している。このため、除去した塵埃などが付着している弾性部材１１は、白色ローラ１０の回転により上方位置に達すると接触部材１９に接触することによって、付着している塵埃などが接触部材１９により吸着され除去される。このような弾性部材１１のクリーニングを行うことによって、清掃効果を維持することができる。
【００２２】
また接触部材１９を、図８に示すように、弾性材により形成して白色ローラ１０の上部に当接させ、白色ローラ１０がコンタクトガラス６に圧接する押圧力を接触部材１９によって与えるようにすることも考えられる。この場合、接触部材１９は、弾性部材１１のクリーナと白色ローラ１０の押圧部材との両機能を兼ねることになるため部品点数を削減することができる。
【００２３】
【発明の効果】
以上説明したように、本発明によれば、コンタクトガラス表面上の塵埃などを、白色ローラの回転によって弾性部材によりコンタクトガラス表面上から除去することができ、原稿読取位置のコンタクトガラスに対するクリーニングが簡単な構成によって実現し、塵埃などの存在が読取情報にノイズとして混入することを防止することができるため、読取の信頼性を向上させることができる。
【図面の簡単な説明】
【図１】本発明の第１実施形態を説明するための原稿読取装置の構成図
【図２】本発明の第１実施形態における白色ローラの斜視図
【図３】本発明の第１実施形態における弾性部材がコンタクトガラスに接触した状態を示す説明図
【図４】本発明の第１実施形態における白色ローラに対する弾性部材の取り付け構成を示す説明図
【図５】本発明の第１実施形態における白色ローラに対する弾性部材の他の取り付け構成を示す説明図
【図６】本発明の第２実施形態を説明するための原稿読取装置の要部を示す構成図
【図７】本発明の第３実施形態を説明するための原稿読取装置の要部を示す構成図
【図８】本発明の第３実施形態における接触部材の他の設置例を示す構成図
【図９】従来の原稿読取装置の構成図
【符号の説明】
２  読取センサ
６  コンタクトガラス
１０  白色ローラ
１１  弾性部材
１６  塵埃収納凹部
１９  接触部材
【図１】
0003645737.tif 000002
【図２】
0003645737.tif 000003
【図３】
0003645737.tif 000004
【図４】
0003645737.tif 000005
【図５】
0003645737.tif 000006
【図６】
0003645737.tif 000007
【図７】
0003645737.tif 000008
【図８】
0003645737.tif 000009
【図９】
0003645737.tif 000010